(57)【要約】      （修正有）【課題】無線リソースを効率的に利用し、移動局ＵＥにおける処理負荷の増加を防ぎつつ、ファントムセルにおける通信規制を実現する。【解決手段】移動通信システムは、移動局ＵＥに対して、複数のファントムセル＃１〜＃１４からなるファントムセル群のうち規制対象のファントムセル＃６/＃７/＃９/＃１２或いは規制対象のファントムセル＃６/＃７/＃９/＃１２に対応するマクロセル＃Ａのカバレッジエリアを通知するように構成されている。【選択図】図１
2014060506.tif 000002
【特許請求の範囲】
【請求項１】
複数のファントムセルからなるファントムセル群と、該ファントムセル群のカバレッジエリアに少なくとも一部で重なる或いは隣接するカバレッジエリアを有するマクロセルとを具備する移動通信システムであって、
移動局に対して、前記ファントムセル群のうち規制対象のファントムセル或いは該規制対象のファントムセルに対応するマクロセルのカバレッジエリアを通知するように構成されていることを特徴とする移動通信システム。
【請求項２】
複数のファントムセルからなるファントムセル群と、該複数のファントムセルのカバレッジエリアに少なくとも一部で重なる或いは隣接するカバレッジエリアを有するマクロセルとを具備する移動通信システムで用いられる無線基地局であって、
移動局に対して、前記ファントムセル群のうち規制対象のファントムセル或いは該規制対象のファントムセルに対応するマクロセルのカバレッジエリアを通知するように構成されている送信部を具備することを特徴とする無線基地局。
【請求項３】
前記送信部は、報知信号又は個別信号を介して、前記規制対象のファントムセル或いは該規制対象のファントムセルに対応するマクロセルのカバレッジエリアを通知するように構成されていることを特徴とする請求項２に記載の無線基地局。
【請求項４】
複数のファントムセルからなるファントムセル群と、該ファントムセル群のカバレッジエリアに少なくとも一部で重なる或いは隣接するカバレッジエリアを有するマクロセルとを具備する移動通信システムで用いられる移動局であって、
前記ファントムセル群のうち規制対象のファントムセル或いは該規制対象のファントムセルに対応するマクロセルのカバレッジエリアについて示す規制対象情報を受信するように構成されている受信部と、
前記規制対象情報に基づいて、在圏中又は通信中のファントムセル或いはマクロセルを介して通信開始要求信号を送信するか否かについて判定するように構成されている制御部とを具備することを特徴とする移動局。
【請求項５】
前記制御部は、在圏中又は通信中のファントムセル或いはマクロセルのカバレッジエリアが前記規制対象のファントムセル或いは該規制対象のファントムセルに対応するマクロセルのカバレッジエリアである場合であっても、緊急呼、優先呼又は着信呼に係る通信開始要求信号については送信すると判定するように構成されていることを特徴とする請求項４に記載の移動局。
【発明の詳細な説明】
【技術分野】
【０００１】
本発明は、移動通信システム、無線基地局及び移動局に関する。
【背景技術】
【０００２】
ＬＴＥ（Ｌｏｎｇ  Ｔｅｒｍ  Ｅｖｏｌｕｔｉｏｎ）方式において、特定セルにおける通信を規制するために、無線基地局ｅＮＢが、規制対象のセルにおける報知情報を用いて、ＡＣＢ（Ａｃｃｅｓｓ  Ｃｏｎｔｒｏｌ  Ｂａｒｒｉｎｇ）等の規制情報を送信し、移動局ＵＥが、かかる規制情報から算出される規制レベルに応じて、かかるセルにおける通信開始要求信号の送信を抑止する方法が知られている。
【先行技術文献】
【非特許文献】
【０００３】
【非特許文献１】３ＧＰＰ  ＴＳ３６.３３１
【非特許文献２】３ＧＰＰ  ＴＳ３６.３０４
【発明の概要】
【発明が解決しようとする課題】
【０００４】
ＬＴＥ方式では、通信容量対策として、多数のファントム（Ｐｈａｎｔｏｍ）セルと呼ばれる小セルを配置する構成についての検討が行われている。
【０００５】
かかるファントムセルの各々で報知情報を送信する場合、移動局ＵＥは、在圏中又は通信中のセルが切り替わる度に、かかる報知情報を用いて送信される規制情報に基づいて規制レベルを算出する必要がある。
【０００６】
したがって、無線リソースの効率的な利用の観点及び移動局ＵＥにおける処理負荷の観点から、かかるファントムセルの各々で報知情報を送信することは好ましくないと考えられる。
【０００７】
そこで、本発明は、上述の課題に鑑みてなされたものであり、無線リソースを効率的に利用し、移動局ＵＥにおける処理負荷の増加を防ぎつつ、規制対象のファントムセル或いは規制対象のファントムセルのカバレッジエリアに対応するマクロセルにおける通信規制を実現することができる移動通信システム、無線基地局及び移動局を提供することを目的とする。
【課題を解決するための手段】
【０００８】
本発明の第１の特徴は、  複数のファントムセルからなるファントムセル群と、該ファントムセル群のカバレッジエリアに少なくとも一部で重なる或いは隣接するカバレッジエリアを有するマクロセルとを具備する移動通信システムであって、移動局に対して、前記ファントムセル群のうち規制対象のファントムセル或いは該規制対象のファントムセルに対応するマクロセルのカバレッジエリアを通知するように構成されていることを要旨とする。
【０００９】
本発明の第２の特徴は、複数のファントムセルからなるファントムセル群と、該複数のファントムセルのカバレッジエリアに少なくとも一部で重なる或いは隣接するカバレッジエリアを有するマクロセルとを具備する移動通信システムで用いられる無線基地局であって、移動局に対して、前記ファントムセル群のうち規制対象のファントムセル或いは該規制対象のファントムセルに対応するマクロセルのカバレッジエリアを通知するように構成されている送信部を具備することを要旨とする。
【００１０】
本発明の第３の特徴は、複数のファントムセルからなるファントムセル群と、該ファントムセル群のカバレッジエリアに少なくとも一部で重なる或いは隣接するカバレッジエリアを有するマクロセルとを具備する移動通信システムで用いられる移動局であって、前記ファントムセル群のうち規制対象のファントムセル或いは該規制対象のファントムセルに対応するマクロセルのカバレッジエリアについて示す規制対象情報を受信するように構成されている受信部と、前記規制対象情報に基づいて、在圏中又は通信中のファントムセル或いはマクロセルを介して通信開始要求信号を送信するか否かについて判定するように構成されている制御部とを具備することを要旨とする。
【発明の効果】
【００１１】
以上説明したように、本発明によれば、無線リソースを効率的に利用し、移動局ＵＥにおける処理負荷の増加を防ぎつつ、規制対象のファントムセル或いは規制対象のファントムセルのカバレッジエリアに対応するマクロセルにおける通信規制を実現することができる移動通信システム、無線基地局及び移動局を提供することができる。
【図面の簡単な説明】
【００１２】
【図１】本発明の第１の実施形態に係る移動通信システムの全体構成図である。
【図２】本発明の第１の実施形態に係る無線基地局ｅＮＢ＃Ａの機能ブロック図である。
【図３】本発明の第１の実施形態に係る移動局ＵＥの機能ブロック図である。
【図４】本発明の第１の実施形態に係る移動通信システムの動作を示すシーケンス図である。
【発明を実施するための形態】
【００１３】
（本発明の第１の実施形態に係る移動通信システム）
図１乃至図４を参照して、本発明の第１の実施形態に係る移動通信システムについて説明する。
【００１４】
図１に示すように、本実施形態に係る移動通信システムは、ＬＴＥ方式の移動通信システムであって、無線基地局ｅＮＢ＃Ａによって管理されているマクロセル＃Ａと、ファントムセル＃１〜＃１４とを具備している。
【００１５】
図１に示すように、マクロセル＃Ａのカバレッジエリア及びファントムセル＃１〜＃１４からなるファントムセル群のカバレッジエリアは、少なくとも一部で重なるように配置されている。
【００１６】
なお、ファントムセル＃１〜＃１４のカバレッジエリアは、無線基地局ｅＮＢ＃Ａによって管理されていてもよいし、無線基地局ｅＮＢ＃Ａ以外の１つ又は複数の無線基地局（例えば、ＰｈＮＢ＃１等）によって管理されていてもよい。また、ファントムセルは、マクロセルとは異なるセルであって、他の名称で呼ばれてもよい。
【００１７】
図２に示すように、本実施形態に係る無線基地局ｅＮＢ＃Ａは、管理部１１と、送信部１２とを具備している。
【００１８】
管理部１１は、複数のファントムセル＃１〜＃１４からなるファントムセル群のうち規制対象のファントムセル或いは規制対象のファントムセル＃６/＃７/＃９/＃１２に対応するマクロセル＃Ａのカバレッジエリアを管理するように構成されている。
【００１９】
本実施形態では、管理部１１は、規制対象のファントムセルとして、ファントムセル＃６/＃７/９/＃１２或いは規制対象のファントムセル＃６/＃７/＃９/＃１２に対応するマクロセル＃Ａのカバレッジエリアを管理するように構成されている。
【００２０】
送信部１２は、移動局ＵＥや無線基地局ＰｈＮＢ＃１や移動管理ノードＭＭＥ（Ｍｏｂｉｌｉｔｙ  Ｍａｎａｇｅｍｅｎｔ  Ｅｎｔｉｔｙ）やゲートウェイ装置Ｓ-ＧＷ等に対して各種信号を送信するように構成されている。
【００２１】
例えば、送信部１２は、移動局ＵＥに対して、複数のファントムセル＃１〜＃１４からなるファントムセル群のうち規制対象のファントムセル＃６/＃７/＃９/＃１２或いは規制対象のファントムセル＃６/＃７/＃９/＃１２に対応するマクロセル＃Ａのカバレッジエリアを通知するように構成されている。
【００２２】
ここで、送信部１２は、移動局ＵＥが、マクロセル＃Ａにおいて在圏中又は通信中（ＤＲＸ状態）である場合に、マクロセル＃Ａを介して、移動局ＵＥに対して、規制対象のファントムセル＃６/＃７/＃９/＃１２或いは規制対象のファントムセル＃６/＃７/＃９/＃１２に対応するマクロセル＃Ａのカバレッジエリアを通知するように構成されていてもよい。
【００２３】
なお、送信部１２は、移動局ＵＥが、ファントムセル＃１〜＃１４のいずれかにおいて在圏中又は通信中（ＤＲＸ状態）である場合に、かかるファントムセルを介して、移動局ＵＥに対して、規制対象のファントムセル＃６/＃７/＃９/＃１２或いは規制対象のファントムセル＃６/＃７/＃９/＃１２に対応するマクロセル＃Ａのカバレッジエリアを通知するように構成されていてもよい。
【００２４】
また、送信部１２は、報知信号又は個別信号を介して、規制対象のファントムセル＃６/＃７/＃９/＃１２或いは規制対象のファントムセル＃６/＃７/＃９/＃１２に対応するマクロセル＃Ａのカバレッジエリアを通知するように構成されていてもよい。
【００２５】
図３に示すように、本実施形態に係る移動局ＵＥは、受信部２１と、制御部２２と、管理部２３と、送信部２４とを具備している。
【００２６】
受信部２１は、無線基地局ｅＮＢ＃Ａや無線基地局ＰｈＮＢ＃１等から各種信号を受信するように構成されている。
【００２７】
例えば、受信部２１は、複数のファントムセル＃１〜＃１４からなるファントムセル群のうち規制対象のファントムセル＃６/＃７/＃９/＃１２或いは規制対象のファントムセル＃６/＃７/＃９/＃１２に対応するマクロセル＃Ａのカバレッジエリアについて示す規制対象情報を受信するように構成されている。
【００２８】
ここで、移動局ＵＥが、マクロセル＃Ａにおいて在圏中又は通信中（ＤＲＸ状態）である場合に、受信部２１は、マクロセル＃Ａから、かかる規制対象情報を受信するように構成されていてもよい。
【００２９】
また、移動局ＵＥが、ファントムセル＃１〜＃１４のいずれかにおいて在圏中又は通信中（ＤＲＸ状態）である場合に、受信部２１は、かかるファントムセルから、かかる規制対象情報を受信するように構成されていてもよい。
【００３０】
管理部２３は、受信部２１によって受信された規制対象情報を管理するように構成されている。
【００３１】
制御部２２は、管理部２３によって管理されている規制対象情報に基づいて、在圏中又は通信中（ＤＲＸ状態）のファントムセル或いは当該ファントムセルのカバレッジエリアに対応するマクロセルを介して通信開始要求信号を送信するか否かについて判定するように構成されている。
【００３２】
すなわち、制御部２２は、管理部２３によって管理されている規制対象情報を参照して、在圏中又は通信中（ＤＲＸ状態）のファントムセルが規制対象のファントムセル＃６/＃７/＃９/＃１２である場合、かかるファントムセル或いは当該ファントムセルのカバレッジエリアに対応するマクロセルを介して通信開始要求信号を送信しないと判定するように構成されている。
【００３３】
なお、制御部２２は、在圏中又は通信中（ＤＲＸ状態）のファントムセルが規制対象のファントムセル＃６/＃７/＃９/＃１２である場合であっても、緊急呼、優先呼又は着信呼に係る通信開始要求信号については送信すると判定するように構成されていてもよい。
【００３４】
送信部２４は、無線基地局ｅＮＢ＃Ａや無線基地局ＰｈＮＢ＃１等に対して各種信号を送信するように構成されている。
【００３５】
例えば、送信部２４は、制御部２２における判定結果に基づいて、在圏中又は通信中（ＤＲＸ状態）のファントムセル或いは当該ファントムセルのカバレッジエリアに対応するマクロセルを介して、通信開始要求信号を送信するように構成されている。
【００３６】
以下、図４を参照して、本実施形態に係る移動通信システムの動作について説明する。
【００３７】
図４に示すように、無線基地局ｅＮＢ＃Ａは、ステップＳ１００１において、無線基地局ＰｈＮＢ＃１に対して、マクロセル＃Ａにおける報知情報が変更になったことを示す指示情報を送信する。
【００３８】
なお、ファントムセル＃１〜＃１４が、無線基地局ｅＮＢ＃Ａによって管理されている場合には、かかるステップ＃１００１は、省略される。
【００３９】
ステップＳ１００２において、無線基地局ＰｈＮＢ＃１は、かかる指示情報に基づいて、無線基地局ＰｈＮＢ＃１配下のファントムセル（例えば、ファントムセル＃１）において在圏中又は通信中（ＤＲＸ状態）の移動局ＵＥに対して、マクロセル＃Ａにおける報知情報を参照するように指示する参照指示情報を送信する。
【００４０】
移動局ＵＥは、ステップＳ１００３において、かかる参照指示情報に応じて、無線基地局ｅＮＢ＃Ａ配下のマクロセル＃Ａにおける報知情報から、規制対象のファントムセル＃６/＃７/＃９/＃１２或いは規制対象のファントムセル＃６/＃７/＃９/＃１２に対応するマクロセル＃Ａのカバレッジエリアを示す規制対象情報（リスト）を取得する。
【００４１】
なお、かかる参照指示情報は、マクロセル＃Ａではなく、規制対象ではないファントムセルを指示するように構成されていてもよい。
【００４２】
本実施形態に係る移動通信システムによれば、移動局ＵＥが、無線基地局ｅＮＢや移動管理ノードＭＭＥ等によって通知された規制対象情報に基づいて、在圏中又は通信中（ＤＲＸ状態）のファントムセル或いは当該ファントムセルのカバレッジエリアに対応するマクロセルを介して通信開始要求信号を送信するべきか否かについて判定することができるように構成されているため、無線リソースを効率的に利用し、移動局ＵＥにおける処理負荷の増加を防ぎつつ、ファントムセル＃１〜＃１４における通信規制を実現することができる。
【００４３】
以上に述べた本実施形態の特徴は、以下のように表現されていてもよい。
【００４４】
本実施形態の第１の特徴は、複数のファントムセル＃１〜＃１４からなるファントムセル群と、ファントムセル群のカバレッジエリアに少なくとも一部で重なる或いは隣接するカバレッジエリアを有するマクロセル＃Ａとを具備する移動通信システムであって、移動局ＵＥに対して、ファントムセル群のうち規制対象のファントムセル＃６/＃７/＃９/＃１２或いは規制対象のファントムセル＃６/＃７/＃９/＃１２に対応するマクロセル＃Ａのカバレッジエリアを通知するように構成されていることを要旨とする。
【００４５】
本実施形態の第２の特徴は、複数のファントムセル＃１〜＃１４からなるファントムセル群と、ファントムセル群のカバレッジエリアに少なくとも一部で重なる或いは隣接するカバレッジエリアを有するマクロセル＃Ａとを具備する移動通信システムで用いられる無線基地局ｅＮＢ＃Ａであって、移動局ＵＥに対して、ファントムセル群のうち規制対象のファントムセル＃６/＃７/＃９/＃１２或いは規制対象のファントムセル＃６/＃７/＃９/＃１２に対応するマクロセル＃Ａのカバレッジエリアを通知するように構成されている送信部１２を具備することを要旨とする。
【００４６】
本実施形態の第２の特徴において、送信部１２は、報知信号又は個別信号を介して、規制対象のファントムセル＃６/＃７/＃９/＃１２或いは規制対象のファントムセル＃６/＃７/＃９/＃１２に対応するマクロセル＃Ａのカバレッジエリアを通知するように構成されていてもよい。
【００４７】
かかる構成によれば、規制対象のファントムセル＃６/＃７/＃９/＃１２の或いは規制対象のファントムセル＃６/＃７/＃９/＃１２に対応するマクロセル＃Ａのカバレッジエリアを確実に移動局ＵＥに対して通知することができる。
【００４８】
本実施形態の第３の特徴は、複数のファントムセル＃１〜＃１４からなるファントムセル群と、ファントムセル群のカバレッジエリアに少なくとも一部で重なる或いは隣接するカバレッジエリアを有するマクロセル＃Ａとを具備する移動通信システムで用いられる移動局ＵＥであって、ファントムセル群のうち規制対象のファントムセル＃６/＃７/＃９/＃１２或いは規制対象のファントムセル＃６/＃７/＃９/＃１２に対応するマクロセル＃Ａのカバレッジエリアについて示す規制対象情報を受信するように構成されている受信部２１と、かかる規制対象情報に基づいて、在圏中又は通信中のファントムセル或いはマクロセルを介して通信開始要求信号を送信するか否かについて判定するように構成されている制御部２２とを具備することを要旨とする。
【００４９】
本実施形態の第３の特徴において、制御部２２は、在圏中又は通信中のファントムセルが規制対象のファントムセル＃６/＃７/＃９/＃１２である場合であっても、緊急呼、優先呼又は着信呼に係る通信開始要求信号については送信すると判定するように構成されていてもよい。
【００５０】
かかる構成によれば、ファントムセル＃１〜＃１４においても、緊急呼、優先呼又は着信呼については、通信規制対象から除外することができる。
【００５１】
なお、上述の移動局ＵＥや無線基地局ｅＮＢ＃Ａの動作は、ハードウェアによって実施されてもよいし、プロセッサによって実行されるソフトウェアモジュールによって実施されてもよいし、両者の組み合わせによって実施されてもよい。
【００５２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃Ａ内に設けられていてもよい。また、かかる記憶媒体及びプロセッサは、ディスクリートコンポーネントとして移動局ＵＥや無線基地局ｅＮＢ＃Ａ内に設けられていてもよい。
【００５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５５】
ｅＮＢ＃Ａ…無線基地局
ＵＥ…移動局
１１…管理部
１２、２１…受信部
１３…判定部
１４、２２…送信部
【図１】
2014060506.tif 000003
【図２】
2014060506.tif 000004
【図３】
2014060506.tif 000005
【図４】
2014060506.tif 000006